(57)【特許請求の範囲】
【請求項１】
相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、
レギュレータユニット、フィルタユニットまたは蓋部材からなり、一方の前記部材取付部に取り付けられる第１部材と、
フィルタユニットまたは蓋部材からなり、他方の前記部材取付部に取り付けられる第２部材と、
前記２つの固定面のいずれか一方の前記接触部に接触するストッパと、前記それぞれの継手パイプの外周面に係合する２つの係合爪とを備えたブラケットとを有し、
前記ストッパが２つの固定面の一方の接触部に接触する位置と、他方の接触部に接触する位置とのいずれかに前記ブラケットの前記装置本体に対する位置を変更し得るようにしたことを特徴とする空気圧用調質装置。
【請求項２】
相互に平行となった２つの継手面と、これらの継手面に対して直角方向をなしそれぞれ接触部が形成された２つの固定面とを有し、両端にそれぞれ部材取付部が設けられ、両端に接触部が設けられるとともに前記それぞれの継手面に装着される継手パイプを有する装置本体と、
一方の前記部材取付部に取り付けられるレギュレータユニットと、
他方の前記部材取付部に取り付けられる蓋部材と、
前記２つの固定面のそれぞれの前記接触部と前記一方の端部に設けられた接触部のいずれかに接触するストッパと、前記それぞれの継手パイプの外周面に係合する２つの係合爪とを備えたブラケットとを有し、
前記ストッパが２つの固定面の一方の接触部に接触する位置と、他方の接触部に接触する位置と、前記蓋部材が取り付けられる端部の前記接触部に接触する位置とのいずれかに前記ブラケットの前記装置本体に対する位置を変更し得るようにしたことを特徴とする空気圧用調質装置。
【請求項３】
相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、
一方の前記部材取付部に取り付けられるレギュレータユニットと、
他方の前記部材取付部に取り付けられるフィルタユニットと、
前記２つの固定面のいずれか一方の前記接触部に接触するストッパと、前記それぞれの継手パイプの外周面に係合する２つの係合爪とを備えたブラケットとを有し、
前記ストッパが２つの固定面の一方の接触部に接触する位置と、他方の接触部に接触する位置とのいずれかに前記ブラケットの前記装置本体に対する位置を変更し得るようにしたことを特徴とする空気圧用調質装置。
【請求項４】
相互に平行となった２つの継手面と、これらの継手面に対して直角方向をなしそれぞれ接触部が形成された２つの固定面とを有し、両端にそれぞれ部材取付部が設けられ、両端に接触部が設けられるとともに前記それぞれの継手面に装着される継手パイプを有する装置本体と、
一方の前記部材取付部に取り付けられるフィルタユニットと、
他方の前記部材取付部に取り付けられる蓋部材と、
前記２つの固定面のそれぞれの前記接触部と前記一方の端部に設けられた接触部のいずれかに接触するストッパと、前記それぞれの継手パイプの外周面に係合する２つの係合爪とを備えたブラケットとを有し、
前記ストッパが２つの固定面の一方の接触部に接触する位置と、他方の接触部に接触する位置と、前記蓋部材が取り付けられる端部の前記接触部に接触する位置とのいずれかに前記ブラケットの前記装置本体に対する位置を変更し得るようにしたことを特徴とする空気圧用調質装置。
【請求項５】
相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、
前記装置本体の両端のそれぞれの前記部材取付部に取り付けられる２つのフィルタユニットと、
前記２つの固定面のいずれか一方の前記接触部に接触するストッパと、前記それぞれの継手パイプの外周面に係合する２つの係合爪とを備えたブラケットとを有し、
前記ストッパが２つの固定面の一方の接触部に接触する位置と、他方の接触部に接触する位置とのいずれかに前記ブラケットの前記装置本体に対する位置を変更し得るようにしたことを特徴とする空気圧用調質装置。
【請求項６】
請求項１〜５のいずれか１項に記載の空気圧用調質装置において、前記それぞれの継手パイプは前記装置本体に着脱自在に装着されることを特徴とする空気圧用調質装置。
【発明の詳細な説明】
【０００１】
【発明の属する技術分野】
本発明は空気圧回路に設けられる空気圧用調質装置に関し、空気圧回路内のゴミを除去するフィルタ、空気圧を調整するレギュレータ、あるいはフィルタを有するレギュレータとして適用して好適な空気圧用調質装置に関する。
【０００２】
【従来の技術】
空気圧回路に設けられる調質装置つまり調質機器としては、空気圧回路内のゴミなどの異物を除去するためのフィルタ、空気の圧力を調整するレギュレータつまり圧力調整器、およびフィルタとレギュレータとが組み付けられたフィルタレギュレータなどがある。
【０００３】
このような調質機器としては、たとえば、特開平11-282541 号公報に開示されるように、フィルタ用とレギュレータ用とのいずれにも適用し得るようにした共用型のアダプタを有するものがある。
【０００４】
【発明が解決しようとする課題】
しかしながら、従来の調質機器を所定の据え付け個所に取り付けるために、据え付け個所に取り付けられるブラケットや金具を調質機器にねじ部材などを用いて取り付けるようにしており、ブラケットの調質機器に対する取付位置は予め所定の位置に設定され自由度がない。このため、空気圧配管の位置や空気圧シリンダや電磁弁などの空気圧作動機器の位置に応じて，調質機器の取付位置を容易に変更することができなかった。
【０００５】
また、従来では、フィルタ用のブラケットとレギュレータ用のブラケットは相違したものが使用されており、ブラケットを共用化することはできず、部品点数が多くなるという問題点がある。
【０００６】
本発明の目的は、フィルタとレギュレータのいずれをも同じブラケットにより取り付けることができるようにすることにある。
【０００７】
本発明の他の目的は、ブラケットの調質機器に対する取付位置を複数の位置に変更し得るようにすることにある。
【０００８】
本発明の他の目的は、調質機器のブラケットに対しする装着を押し付け動作によって行うようにし、使用時には調質機器がブラケットから外れないようにし得ることにある。
【０００９】
【課題を解決するための手段】
本発明の空気圧用調質装置は、相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、レギュレータユニット、フィルタユニットまたは蓋部材からなり、一方の前記部材取付部に取り付けられる第１部材と、フィルタユニットまたは蓋部材からなり、他方の前記部材取付部に取り付けられる第２部材と、前記２つの固定面のいずれか一方の前記接触部に接触するストッパと、前記それぞれの継手パイプの外周面に係合する２つの係合爪とを備えたブラケットとを有し、前記ストッパが２つの固定面の一方の接触部に接触する位置と、他方の接触部に接触する位置とのいずれかに前記ブラケットの前記装置本体に対する位置を変更し得るようにしたことを特徴とする。
【００１０】
本発明の空気圧用調質装置は、相互に平行となった２つの継手面と、これらの継手面に対して直角方向をなしそれぞれ接触部が形成された２つの固定面とを有し、両端にそれぞれ部材取付部が設けられ、両端に接触部が設けられるとともに前記それぞれの継手面に装着される継手パイプを有する装置本体と、一方の前記部材取付部に取り付けられるレギュレータユニットと、他方の前記部材取付部に取り付けられる蓋部材と、前記２つの固定面のそれぞれの前記接触部と前記一方の端部に設けられた接触部のいずれかに接触するストッパと、前記それぞれの継手パイプの外周面に係合する２つの係合爪とを備えたブラケットとを有し、前記ストッパが２つの固定面の一方の接触部に接触する位置と、他方の接触部に接触する位置と、前記蓋部材が取り付けられる端部の前記接触部に接触する位置とのいずれかに前記ブラケットの前記装置本体に対する位置を変更し得るようにしたことを特徴とする。
【００１１】
本発明の空気圧用調質装置は、相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、一方の前記部材取付部に取り付けられるレギュレータユニットと、他方の前記部材取付部に取り付けられるフィルタユニットと、前記２つの固定面のいずれか一方の前記接触部に接触するストッパと、前記それぞれの継手パイプの外周面に係合する２つの係合爪とを備えたブラケットとを有し、前記ストッパが２つの固定面の一方の接触部に接触する位置と、他方の接触部に接触する位置とのいずれかに前記ブラケットの前記装置本体に対する位置を変更し得るようにしたことを特徴とする。
【００１２】
本発明の空気圧用調質装置は、相互に平行となった２つの継手面と、これらの継手面に対して直角方向をなしそれぞれ接触部が形成された２つの固定面とを有し、両端にそれぞれ部材取付部が設けられ、両端に接触部が設けられるとともに前記それぞれの継手面に装着される継手パイプを有する装置本体と、一方の前記部材取付部に取り付けられるフィルタユニットと、他方の前記部材取付部に取り付けられる蓋部材と、前記２つの固定面のそれぞれの前記接触部と前記一方の端部に設けられた接触部のいずれかに接触するストッパと、前記それぞれの継手パイプの外周面に係合する２つの係合爪とを備えたブラケットとを有し、前記ストッパが２つの固定面の一方の接触部に接触する位置と、他方の接触部に接触する位置と、前記蓋部材が取り付けられる端部の前記接触部に接触する位置とのいずれかに前記ブラケットの前記装置本体に対する位置を変更し得るようにしたことを特徴とする。
【００１３】
本発明の空気圧用調質装置は、相互に平行となった２つの継手面と、これらの継手面に対して直角方向をなしそれぞれ接触部が形成された２つの固定面とを有し、両端にそれぞれ部材取付部が設けられるとともに、前記それぞれの継手面に装着される継手パイプを有する装置本体と、前記装置本体の両端のそれぞれの前記部材取付部に取り付けられる２つのフィルタユニットと、前記２つの固定面のいずれか一方の前記接触部に接触するストッパと、前記それぞれの継手パイプの外周面に係合する２つの係合爪とを備えたブラケットとを有し、前記ストッパが２つの固定面の一方の接触部に接触する位置と、他方の接触部に接触する位置とのいずれかに前記ブラケットの前記装置本体に対する位置を変更し得るようにしたことを特徴とする。
【００１４】
本発明における前記それぞれの継手パイプは、前記装置本体に着脱自在に装着されることを特徴とする。
【００１５】
【発明の実施の形態】
以下、本発明の実施の形態を図面に基づいて詳細に説明する。
【００１６】
図１は本発明の一実施の形態である空気圧用調質装置を示す斜視図であり、図２は図１における側面図であり、図３は図２におけるＡ−Ａ線に沿う拡大断面図であり、図４（Ａ）は図１〜図３に示された装置本体を示す分解斜視図であり、図４（Ｂ）は同図（Ａ）におけるＢ−Ｂ線に沿う断面図であり、図４（Ｃ）は同図（Ｂ）におけるＣ−Ｃ線に沿う断面図である。
【００１７】
図１に示す空気圧用調質装置はレギュレータを構成しており、装置本体ＢとレギュレータユニットＲとプラグつまり蓋部材Ｐとを有している。装置本体Ｂは合成樹脂により射出成形などの樹脂成形手段により成形された本体ブロック１０を有し、この本体ブロック１０は、図４に示すように、全体形状は立方体に近い形状となっており、相互に平行となった２つの継手面１１ａ，１１ｂと、これらの継手面に対して直角方向を向き相互に平行となった２つの固定面１２ａ，１２ｂとの４つの側面を有している。本体ブロック１０の図４における上下の両端部には、正方形の枠形状となった部材取付部１３，１４が設けられており、それぞれの部材取付部１３，１４の内部は開口部となっている。
【００１８】
継手面１１ａ，１１ｂには、図３に示すように、それぞれ継手取付孔１５ａ，１５ｂが継手面の中心部に同心状に形成されており、それぞれの継手取付孔１５ａ，１５ｂには継手パイプ１６，１７が着脱自在に装着されており、本体ブロック１０に継手パイプ１６，１７を装着すると、２つの継手パイプ１６，１７は相互に同心状態となる。継手パイプ１６，１７を本体ブロック１０に固定するために、継手パイプ１６，１７に形成された係合溝１８に係合するＵ字形状のクリップ２０が継手面１１ａ，１１ｂの内部に形成されたスリット２１に挿入されるようになっており、それぞれのスリット２１は固定面１２ａ，１２ｂ側に開口部が形成されおり、いずれの固定面側からもスリット２１内にクリップ２０を挿入することができる。
【００１９】
スリット２１内に挿入されたクリップ２０を取り外すために、それぞれのスリット２１に連通させて連通溝２２が形成されており、この連通溝２２に工具を差し込むことにより、クリップ２０をスリット２１から取り外すことができる。これにより、継手パイプ１６，１７が損傷した場合に新品の継手パイプに容易に交換することができる。また、装置本体Ｂを組み立てる際にもスリット２１にクリップ２０を挿入することにより、容易に継手パイプ１６，１７を本体ブロック１０に装着することができる。
【００２０】
本体ブロック１０のそれぞれの固定面１２ａ，１２ｂの両側部は、それぞれ接触部２３ａ，２３ｂとなっており、本体ブロック１０の両端部に形成された段部の表面は、それぞれ接触部２３ｃ，２３ｄとなっている。図２に示すように、全ての接触部２３ａ〜２３ｄはそれぞれ継手パイプ１６，１７の中心から同一距離Ｓとなっている。
【００２１】
本体ブロック１０の両端部にはそれぞれの側面１１ａ〜１２ｂに連通する取付溝２４が４つずつ合計８つ形成されており、これらの取付溝２４によりレギュレータユニットＲおよび蓋部材Ｐが取り付けられるようになっている。
【００２２】
レギュレータユニットＲはボンネットと言われるレギュレータハウジング３１を有し、このハウジング３１の端部は部材取付部１３に入り込むようになっており、ハウジング３１には取付溝２４に係合する取付爪２５が４つ設けられている。蓋部材Ｐも同様に部材取付部１４に入り込むようになるとともに、取付溝２４に係合する取付爪２５が４つ設けられている。
【００２３】
本体ブロック１０には、図３に示すように、両端部に設けられたそれぞれの開口部を連通させる貫通孔２６が形成されるとともに、継手取付孔１５ａと一方の端部内とを連通させる連通孔２７ａと、継手取付孔１５ｂと他方の端部内とを連通させる連通孔２７ｂとが形成されている。
【００２４】
レギュレータユニットＲは継手パイプ１６が一次側ポートとなり、継手パイプ１７が二次側ポートとなっており、継手パイプ１６に接続される流入路から流入した空気は継手パイプ１７に接続される流出路に所定の圧力に減圧して供給される。
【００２５】
ハウジング３１には図３に示すようにディスク状の弁座部材３２が取り付けられ、この弁座部材３２にはダイヤフラム３３が組み付けられており、ダイヤフラム３３の中心部には弁軸３４がダイヤフラム押さえ３５とナット３６とにより取り付けられている。弁座部材３２には貫通孔２６を介してそれぞれの連通孔２７ａ，２７ｂを連通させる連通孔３７が形成されており、この連通孔３７を開閉するための弁体３８が弁軸３４に取り付けられている。弁体３８にはばね部材３９によって連通孔３７を閉じる方向のばね力が加えられている。
【００２６】
ダイヤフラム３３と弁座部材３２との間には二次側圧室４１が形成され、二次側の継手パイプ１７に接続される流出路内の圧力が弁座部材３２に形成された連通孔４２を介して二次側圧室４１に供給され、この二次側圧室４１によってダイヤフラム３３には弁軸３４を介して弁体３８を閉じる方向の推力が加えられるようになっている。
【００２７】
ハウジング３１の端部にはハンドル４３が回転自在に取り付けられ、このハンドル４３に固定された調整ねじ４４にねじ結合されるナット４５と、ダイヤフラム側のナット３６との間には圧縮コイルばね４６が装着され、このコイルばね４６によって弁軸３４を介して弁体３８には連通孔３７を開く方向のばね力が加えられている。
【００２８】
したがって、継手パイプ１７に接続される流出路内の圧力が変化すると、弁体３８がコイルばね４６のばね力と二次側圧室４１の圧力とに応じて開閉することによって、流出路の二次側圧力は所定の圧力に調圧される。
【００２９】
レギュレータハウジング３１の外周面には、図３において二点鎖線で示すように、ナット４７がねじ結合される雄ねじ４８が形成されており、この部分に取付金具を締結することもできるようになっている。
【００３０】
図１〜図３に示すレギュレータユニットＲを有する調質装置を所定の設置場所に据え付けるために、図５に示すブラケット５１が使用される。このブラケット５１は合成樹脂あるいは金属などのように弾性変形する部材により形成され、基部５２とその両端部に設けられた二対の係合爪５３とを備えている。それぞれの係合爪５３は相互に対向し合って弾性変形する２つの爪片５４を有し、各々の爪片５４の先端部には継手パイプ１６，１７の外周面に対応した円弧状部が設けられている。
【００３１】
さらに、係合爪５３の根元部にはストッパ５５が設けられており、それぞれのストッパはブラケット５１をそれぞれの係合爪５３の部分で継手パイプ１６，１７に係合させたときに、２つの固定面１２ａ，１２ｂのそれぞれの接触部２３ａ，２３ｂのいずれか一方に接触する位置と、装置本体Ｂのうち蓋部材Ｐが取り付けられた方の端部における接触部２３ｄに接触する位置とのいずれかに設定することができる。図２において、実線で示すブラケット５１は接触部２３ｂにストッパ５５が接触した状態であり、二点鎖線によってブラケット５１が接触部２３ａに接触した状態と、接触部２３ｄに接触した状態とが示されている。
【００３２】
したがって、調質装置が取り付けられる個所に応じて、ストッパ５５が接触部２３ａに接触する位置と、接触部２３ｂに接触する位置と、接触部２３ｄに接触する位置との３つの位置のうち、いずれかに変更して調質装置をブラケット５１により取り付けることができる。ブラケット５１はこれに形成された取付孔５６の部分でねじなどの固定手段により所定の位置に取り付けられるこにとなる。
【００３３】
このように、調質装置は二対の係合爪５３の部分で継手パイプ１６，１７に挟み付けられるとともに、接触部にはストッパ５５の部分が接触することから、ブラケット５１は装置本体Ｂに対してずれることなく、確実に食い付くことになる。しかも、装置本体Ｂを係合爪５３の弾発力に抗して引き抜くことにより、装置本体Ｂをブラケット５１から外すことができる。
【００３４】
本体ブロック１０の固定面１２ａ，１２ｂには、それぞれねじ孔５７が形成されており、ねじ孔５７には図４（Ｃ）に二点鎖線で示すように、圧力センサまたは圧力計５８を取り付けることができるようになっている。圧力センサまたは圧力計５８が取り付けられる位置を変えることにより、調質装置の取り付けや設置される場所に応じて圧力センサまたは圧力計５８の向きを変更することが可能となる。圧力センサまたは圧力計５８が使用されない場合には、それぞれのねじ孔５７は、図示しないプラグによって閉塞される。
【００３５】
図６（Ａ）は本発明の他の実施の形態である空気圧用調質装置を示す一部切り欠き正面図であり、図６（Ｂ）は同図（Ａ）の側面図である。この調質装置は、図１〜図３に示す蓋部材Ｐに代えてフィルタユニットＦが取り付けられており、フィルタレギュレータとなっている。装置本体ＢとレギュレータユニットＲは、前述した場合と同一であり、フィルタユニットＦの外観を示すと図７の通りである。
【００３６】
フィルタユニットＦは本体ブロック１０の端部に設けられた取付溝２４に係合する取付爪２５が設けられたフィルタハウジング６１を有し、このハウジング６１内には円筒形状のフィルタエレメント６２が収容されている。フィルタエレメント６２は多孔質性の樹脂などにより形成されており、一次側から流入した空気は、まずフィルタエレメント６２により異物が除去された後に二次側に流出するようになっている。このハウジング６１は透明な樹脂により成形され、外部からフィルタエレメント６２が目視されるようになっており、フィルタエレメント６２の目詰まり状態をハウジング６１を外すことなく判別することができるが、不透明な材料によりハウジング６１を形成するうよにしても良い。
【００３７】
このタイプの調質装置を取り付ける場合には、ブラケット５１は本体ブロック１０に対してストッパ５５が一方の接触部２３ａに接触する位置と、他方の接触部２３ｂに接触する位置とのいずれかとすることができ、取付個所に応じてブラケット５１の装置本体Ｂに対する取付位置を変更することができる。図６はストッパ５５が接触部２３ｂに接触した状態を示す。
【００３８】
なお、図６においては、図１〜図５に示した部材と共通する部材には同一の符号が付されている。
【００３９】
図８は本発明の他の実施の形態である空気圧用調質装置を示す断面図であり、この調質装置は１つのフィルタエレメントを有するフィルタとなっており、図４に示した装置本体Ｂと図３に示した蓋部材Ｐと図６および図７に示したフィルタユニットＦとにより形成されており、図８においては、前述した実施の形態における部材と共通する部材には同一の符号が付されている。
【００４０】
この調質装置をブラケット５１により取り付けるには、図８に示すように、接触部２３ｂにストッパ５５が接触するようにブラケット５１を装置本体Ｂに係合させる位置と、二点鎖線で示すように、接触部２３ａにストッパを接触させてブラケット５１を係合させる位置と、接触部２３ｃにストッパを接触させてブラケット５１を係合させる位置とのいずれかに設定することができる。
【００４１】
図８に示すフィルタにあっては、正圧空気であっても負圧空気であっても、空気圧回路内を流れる空気に含まれる異物を除去することができる。また、圧力センサ５８をねじ孔５７に取り付ければ、フィルタ内の圧力を検出することができるが、圧力センサ５８を使用しないときには、ねじ孔５７はプラグによっ閉塞されることになる。また、フィルタ用の本体ブロック１０を製造する際に、予めねじ孔５７を形成しないようにしても良い。
【００４２】
図９は本発明の他の実施の形態である空気圧用調質装置を示す断面図であり、この調質装置は２つのフィルタエレメント６２ａ，６２ｂを有するタイプのフィルタとなっており、装置本体Ｂの両端部にはそれぞれ図８に示した場合と同一の構造となったフィルタユニットＦが取り付けられている。
【００４３】
この場合の本体ブロック１０は前述したものと相違し、一次側ポートと一方のフィルタエレメント６２ｂの内部とを連通させる連通孔２８ａと、二次側ポートと他方のフィルタエレメント６２ａの内部とを連通させる連通孔２８ｂとが形成されている。一次側ポートとフィルタエレメント６２ａの外側とを連通させる連通孔２７ａには一次側ポートからフィルタエレメント６２ａに向かう空気の流れを許容し、逆方向の流れを阻止する逆止弁６３ａが設けられている。また、二次側ポートとフィルタエレメント６２ｂの外側とを連通させる連通孔２７ｂには二次側ポートからフィルタエレメント６２ｂに向かう流れを許容し、逆方向の流れを阻止する逆止弁６３ｂが設けられている。
【００４４】
したがって、このタイプのフィルタにあっては、空気圧流路内に正圧の空気と負圧の空気とが切り換えて流される場合に、いずれの空気に含まれる異物を除去することができる。たとえば、二次側ポートに流路を介して真空吸着部材を設け、これにより電子部品などのワークを吸着搬送する場合には、この真空吸着部材によりワークの吸着動作を行うときには、負圧空気を真空吸着部材に供給することになり、ワークを真空吸着部材から取り外すときには、正圧空気を真空吸着部材に供給することになる。
【００４５】
このような空気圧流路に図９に示す調質装置を使用すると、正圧空気を供給するときにはフィルタエレメント６２ａにより正圧空気の中の異物を除去することができ、負圧空気を供給するときにはフィルタエレメント６２ｂにより負圧空気の中の異物を除去することができる。
【００４６】
図９に示す調質装置における本体ブロック１０にあっては、内部に２つの連通孔２８ａ，２８ｂが形成されており、他のタイプの調質装置における本体ブロック１０にあっては内部に貫通孔２６が形成されているが、他の形状は全く同一である。したがって、本体ブロック１０を樹脂成形するときには、主な金型形状を同一とし、その金型の一部分のみを変更した金型を使用して成形することによって、連通孔２８ａ，２８ｂを有する本体ブロックと、貫通孔２６を有する本体ブロックとのいずれをも成形することができる。同様に、ねじ孔５７を有する本体ブロックと有しない本体ブロックとのいずれをも金型の一部を変更することによって形成することができる。
【００４７】
しかも、装置本体ＢとレギュレータユニットＲとフィルタユニットＦと蓋部材Ｐとを準備することにより、共通の部品を用いて、図１に示すレギュレータと、図６に示すフィルタレギュレータと、図８に示すエレメント１つのフィルタと、図９に示すエレメント２つのフィルタとのいずれのタイプの調質装置を組立製造することができる。また、図７に示すタイプのフィルタユニットを使用していた状態から、蓋部材Ｐをフィルタユニットに交換することにより図９に示すタイプのフィルタに変更することができ、同様に、図１に示すタイプのレギュレータを図６に示すタイプのフィルタレギュレータに変更することができる。
【００４８】
このように共通する装置本体Ｂの一方の部材取付部１３には、第１の部材としてのレギュレータユニットＲ，フィルタユニットＦまたは蓋部材Ｐのいずれをも取り付けることができ、他方の部材取付部１４には、第２の部材としてのフィルタユニットＦまたは蓋部材Ｐを取り付けることができ、共通の構造の装置本体Ｂを使用して、前述した４種類の空気圧用調質装置を形成することができる。
【００４９】
装置本体Ｂを構成する本体ブロック１０は、図４において上下にほぼ対称形状となっており、いずれを上下としても良い。
【００５０】
本発明は前記実施の形態に限定されるものではなく、その要旨を逸脱しない範囲で種々変更可能であることはいうまでもない。
【００５１】
【発明の効果】
以上のように、本発明によれば、ブラケットの装置本体に対する取付位置を複数の位置に変更することかできるので、空気圧用調質装置を据え付ける場合に取付位置の自由度を高めることができる。
【００５２】
ブラケットは装置本体の固定面と継手パイプに係合する係合爪とを有しているので、装置本体はブラケットに取り付けられた状態のもとではずれ移動することなく確実に装置本体を保持することができる。また、保守点検時には装置本体を容易にブラケットから取り外すことができる。
【００５３】
両端にそれぞれ部材取付部が設けられた装置本体にはレギュレータユニット、フィルタユニットまたは蓋部材のいずれをも取り付けることができるので、共通の装置本体を用いて、レギュレータまたはフィルタのいずれをも組み立てることができ、レギュレータとしてはフィルタユニットを有するフィルタレギュレータとすることもでき、フィルタとしてはフィルタユニットが１つのタイプと２つのタイプとに設定することができる。
【図面の簡単な説明】
【図１】本発明の一実施の形態である空気圧用調質装置を示す斜視図である。
【図２】図１における側面図である。
【図３】図２におけるＡ−Ａ線に沿う拡大断面図である。
【図４】（Ａ）は図１〜図３に示された装置本体を示す分解斜視図であり、（Ｂ）は同図（Ａ）におけるＢ−Ｂ線に沿う断面図であり、（Ｃ）は同図（Ｂ）におけるＣ−Ｃ線に沿う断面図である。
【図５】ブラケットを示す斜視図である。
【図６】（Ａ）は本発明の他の実施の形態である空気圧用調質装置を示す一部切り欠き正面図であり、（Ｂ）は同図（Ａ）の側面図である。
【図７】フィルタユニットを示す斜視図である。
【図８】本発明の他の実施の形態である空気圧用調質装置を示す正面図である。
【図９】（Ａ）は本発明の他の実施の形態である空気圧用調質装置を示す断面図であり、（Ｂ）は同図（Ａ）の側面図である。
【符号の説明】
１０      本体ブロック
１１ａ，１１ｂ    継手面
１２ａ，１２ｂ    固定面
１３，１４      部材取付部
１６，１７      継手パイプ
１８      係合溝
２０      クリップ
２１      スリット
２３ａ〜２３ｄ    接触部
２４      取付溝
２５      取付爪
２６      貫通孔
２７ａ，２７ｂ    連通孔
２８ａ，２８ｂ    連通孔
３１      レギュレータハウジング
３２      弁部材
３３      ダイヤフラム
３４      弁軸
３８      弁体
４１      二次側圧室
５１      ブラケット
５２      基部
５３      係合爪
５４      爪片
５５      ストッパ
５６      取付孔
６１      フィルタハウジング
６２，６２ａ，６２ｂ  フィルタエレメント
６３ａ，６３ｂ    逆止弁
Ｂ        装置本体
Ｆ        フィルタユニット
Ｐ        蓋部材
Ｒ        レギュレータユニット
【図１】
0003982971.tif 000002
【図２】
0003982971.tif 000003
【図３】
0003982971.tif 000004
【図４】
0003982971.tif 000005
【図５】
0003982971.tif 000006
【図６】
0003982971.tif 000007
【図７】
0003982971.tif 000008
【図８】
0003982971.tif 000009
【図９】
0003982971.tif 000010